(57)【要約】【課題】食品を内包せる簡易容器をそのまま利用するために二重包装した食品の両容器を確実に固定することができる二重包装食品の容器掛合機構を提供すること。【解決手段】外装体１の上部に設けられた受口部１１に、食品包装容器２の本体部２１が差し入れ可能にして、かつ、外装体１の表面には貫通孔１２が少なくとも一箇所に開設されている一方、前記食品包装容器２の本体部２１の外周面には掛止ヅメ２１ａが突成されて、前記外装体１の内側面１３に形成された掛止リブ１４の下側に掛合して抜け止めされるとともに、当該食品包装容器２の開口部外延に形成されたフランジ２２が前記受口部縁１１ａに載置され、かつ、当該フランジ２２の下面には、同受口部縁１１ａに接触可能な突条２２ａを設けるという技術的手段を採用した。【選択図】　図３
2004097631.tif 000002
【特許請求の範囲】
【請求項１】
食器の外装体１と、この外装体１を着脱自在に外装可能であって、食品Ｆを内包せる有底の食品包装容器２とを具備して構成される二重包装食品において、
前記外装体１の上部に設けられた受口部１１に、前記食品包装容器２の本体部２１が差し入れ可能にして、かつ、外装体１の表面には貫通孔１２が少なくとも一箇所に開設されている一方、
前記食品包装容器２の本体部２１の外周面には掛止ヅメ２１ａが突成されて、前記外装体１の内側面１３に形成された掛止リブ１４の下側に掛合して抜け止めされるとともに、当該食品包装容器２の開口部外延に形成されたフランジ２２が前記受口部縁１１ａに載置され、かつ、当該フランジ２２の下面には、同受口部縁１１ａに接触可能な突条２２ａが設けられていることを特徴とする二重包装食品の容器掛合機構。
【請求項２】
外装体１の表面に開設された貫通孔１２は食品包装容器２の取り外し口であって、其処から、取り付けられた前記食品包装容器２を押圧することによって取り外し可能であることを特徴とする請求項１記載の二重包装食品の容器掛合機構。
【請求項３】
外装体１の貫通孔１２を底部に設け、取り付けられた食品包装容器２の底部２３を押圧して取り外し可能であることを特徴とする請求項１または２記載の二重包装食品の容器掛合機構。
【請求項４】
外装体１の底部に設けられた貫通孔１２の周縁に堤部１２ａが凸設されていることを特徴とする請求項１〜３の何れか一つに記載の二重包装食品の容器掛合機構。
【請求項５】
外装体１の貫通孔１２を側面に設け、この貫通孔１２が花形や星形、丸形、多角形、透かし彫り風の文様などの装飾形状であることを特徴とする請求項１〜４の何れか一つに記載の二重包装食品の容器掛合機構。
【請求項６】
外装体１は鉢形に作製され、かつ、受口部１１に閉じ蓋１５が載置可能であることを特徴とする請求項１〜５の何れか一つに記載の二重包装食品の容器掛合機構。
【請求項７】
外装体１の掛止リブ１４と食品包装容器２の掛止ヅメ２１ａの掛合位置とが合致するように構成されていることを特徴とする請求項１〜６の何れか一つに記載の二重包装食品の容器掛合機構。
【請求項８】
外装体１は陶磁器やセラミックス、ガラス、エンジニアリングプラスチックなどの耐熱性材料で作製されていることを特徴とする請求項１〜７の何れか一つに記載の二重包装食品の容器掛合機構。
【請求項９】
食品包装容器２の底部２３には突起２３ａが成形されており、自立可能であることを特徴とする請求項１〜８の何れか一つに記載の二重包装食品の容器掛合機構。
【発明の詳細な説明】
【０００１】
【発明の属する技術分野】
本発明は、家庭用および外食産業用の食器の改良、更に詳しくは、食品を内包せる簡易容器をそのまま利用するために二重包装した食品の両容器を確実に固定することができる二重包装食品の容器掛合機構に関するものである。
【０００２】
【従来の技術】
食事の際にはお碗や皿などの食器に料理を盛り付けるのであるが、用いる食器の色合いや質感などの視覚的要素は大変重要であり、食器の選択次第で料理の味わいを左右すると言っても過言ではなく、正に食器は食生活における重要な視覚的要素と云える。
【０００３】
ところが、現代の家庭や外食産業においては、少しでも調理負担を軽減させ、しかも長期保存が可能な食品が望まれているため、工場で調理されてプラスチックなどのパックや容器に簡易包装された食品が増加している。
【０００４】
このような状況は、現代社会の合理化主義の風潮によって食文化の伝統や心遣いが犠牲になってしまっていると言わざるを得ない。そして、これらをそのままの容器で食するにはあまりにも飾り気が無くて情緒に欠け、包装された食品がいくら美味しく出来ているにしても、充分に堪能することができないという不満があった。
【０００５】
そこで、本願出願人は、嘗て、こうした簡易食器を少しでも見栄え良くするために、別の食器で外装する手段を発明した（特許文献１参照）。しかし、このようにして食品を二重包装して使用する際には、両容器が簡単に外れないように確実に固定する必要があった。
【０００６】
【特許文献１】
特願２００２−１６３９８号　（第５−６頁、第１−２図）
【０００７】
【発明が解決しようとする課題】
本発明は、上記の不満があったことに鑑みて為されたものであり、その目的とするところは、食品を内包せる簡易容器をそのまま利用するために二重包装した食品の両容器を確実に固定することができる二重包装食品の容器掛合機構を提供することにある。
【０００８】
【課題を解決するための手段】
本発明者が上記課題を解決するために採用した手段を添付図面を参照して説明すれば次のとおりである。
【０００９】
即ち、本発明は、食器の外装体１と、この外装体１を着脱自在に外装可能であって、食品Ｆを内包せる有底の食品包装容器２とを具備して構成される二重包装食品において、
前記外装体１の上部に設けられた受口部１１に、前記食品包装容器２の本体部２１が差し入れ可能にして、かつ、外装体１の表面には貫通孔１２が少なくとも一箇所に開設されている一方、
前記食品包装容器２の本体部２１の外周面には掛止ヅメ２１ａが突成されて、前記外装体１の内側面１３に形成された掛止リブ１４の下側に掛合して抜け止めされるとともに、当該食品包装容器２の開口部外延に形成されたフランジ２２が前記受口部縁１１ａに載置され、かつ、当該フランジ２２の下面には、同受口部縁１１ａに接触可能な突条２２ａを設けるという技術的手段を採用した。
【００１０】
また、本発明は、上記課題を解決するために、必要に応じて上記手段に加え、外装体１の表面に開設された貫通孔１２は食品包装容器２の取り外し口であって、其処から、取り付けられた前記食品包装容器２を押圧することによって取り外し可能にするという技術的手段を採用した。
【００１１】
更にまた、本発明は、上記課題を解決するために、必要に応じて上記手段に加え、外装体１の貫通孔１２を底部に設け、取り付けられた食品包装容器２の底部２３を押圧して取り外し可能にするという技術的手段を採用した。
【００１２】
更にまた、本発明は、上記課題を解決するために、必要に応じて上記手段に加え、外装体１の底部に設けられた貫通孔１２の周縁に堤部１２ａを凸設するという技術的手段を採用した。
【００１３】
更にまた、本発明は、上記課題を解決するために、必要に応じて上記手段に加え、外装体１の貫通孔１２を側面に設け、この貫通孔１２を花形や星形、丸形、多角形、透かし彫り風の文様などの装飾形状にするという技術的手段を採用した。
【００１４】
更にまた、本発明は、上記課題を解決するために、必要に応じて上記手段に加え、外装体１を鉢形に作製し、かつ、受口部１１に閉じ蓋１５を載置可能にするという技術的手段を採用した。
【００１５】
更にまた、本発明は、上記課題を解決するために、必要に応じて上記手段に加え、外装体１の掛止リブ１４と食品包装容器２の掛止ヅメ２１ａの掛合位置とを合致するように構成するという技術的手段を採用した。
【００１６】
更にまた、本発明は、上記課題を解決するために、必要に応じて上記手段に加え、外装体１を陶磁器やセラミックス、ガラス、エンジニアリングプラスチックなどの耐熱性材料で作製するという技術的手段を採用した。
【００１７】
更にまた、本発明は、上記課題を解決するために、必要に応じて上記手段に加え、食品包装容器２の底部２３には突起２３ａを成形し、自立可能にするという技術的手段を採用した。
【００１８】
【発明の実施の形態】
本発明の実施形態を具体的に図示した図面に基いて更に詳細に説明すると次のとおりである。
【００１９】
本発明の実施形態を図１〜図６に基いて説明する。図中、符号１で指示するものは二重包装食品の外装体であり、この外装体１の上部には受口部１１が設けられている。また、外装体１の表面には貫通孔１２が少なくとも一箇所に開設されており、本実施形態では、底面に設けられている（図１参照）。
【００２０】
符号２で指示するものは食品包装容器であり、この食品包装容器２は食品Ｆを内包せる有底の容器であって、プラスチック（ポリエチレン）を射出成形して作製されている。本実施形態では、食品Ｆを茶碗蒸しとし、形状は図２に示すように作製する。
【００２１】
しかして、本実施形態における前記外装体１と食品包装容器２とを組み合わせて使用する具体的な方法を以下に説明する。まず、前記外装体１の上部に設けられた受口部１１に、前記食品包装容器２の本体部２１を差し入れる（図３参照）。
【００２２】
次に、前記食品包装容器２の本体部２１の外周面には掛止ヅメ２１ａが突成されており、前記外装体１の内側面１３に形成された掛止リブ１４の下側に掛合して抜け止めされる。
【００２３】
この際、同時に、当該食品包装容器２の開口部外延に形成されたフランジ２２が前記受口部縁１１ａに載置される。また、当該フランジ２２の下面には同受口部縁１１ａに接触可能な突条２２ａが設けられている。また、外装体１の底部に設けられた貫通孔１２の周縁に堤部１２ａが凸設することにより、其処からの水漏れを防ぐことができる（図４参照）。
【００２４】
そして、前記フランジ２２の下面に設けられた突条２２ａが受口部縁１１ａに接触することによって、食品包装容器２の外周面が食品Ｆの温度によって発生した結露や、外装体１に付着している水滴などを、当該突条２２ａの表面張力によって保持することができるので、前記堤部１２ａと同様に外装体１の貫通孔１２が底部に設けられている場合でも其処からの水漏れを防ぐことができる（図５参照）。
【００２５】
然る後、食品包装容器２を取り外す場合は、外装体１の底部に設けられた貫通孔１２から取り付けられた前記食品包装容器２の底部２３を押圧することによって押し出すようにして取り外すことができる。
【００２６】
本実施形態では、外装体１と食品包装容器２の本体部２１とは完全に密着せずに近接しており、二重構造となって両部材間に空気層を作出しているので、外気に直接触れることがなく、食品Ｆの保温効果が向上する。なお、この空気層が完全密閉状態であると、膨張あるいは収縮によって食品包装容器２が飛び出したり、変形したりするおそれがあるため、外装体１に開設された貫通孔１２によって気圧調節ができるように構成されている。
【００２７】
また、本実施形態に使用する食品包装容器２が、薄手の紙やアルミ箔、プラスチックなどで作製されている場合、これらの材料は強度も些程大きくなく、素手で持った時に温度を感じ易いので、外装体１を外装したことによる大きな効果が期待できる。
【００２８】
本実施形態の変形例として、図６に示すように、食品包装容器２の掛止ヅメ２１ａを並列構造にして補強することにより、脱着の繰り返しに対する耐久性を向上させることができ、また、突成する数や位置なども変更することができる。更にまた、図示しないが、外装体１の掛止リブ１４は内側面１３の全周に亙って作製しなくとも良く、食品包装容器２の掛止ヅメ２１ａの掛合位置が合致するところのみに形成して構成することもできる。
【００２９】
なお、図７に示すように、外装体１を鉢形に作製し、かつ、受口部１１に閉じ蓋１５が載置可能に構成することもできる。また、外装食器の外装体１は陶磁器やセラミックス、ガラス、エンジニアリングプラスチックなどの耐熱性材料で作製することが好ましく、例えば、外装体１と食品包装容器２とを組み合わせたままでレンジで加熱したり、蒸し器にかけたり、また、直火にかけることもでき、調理ができるので、食品Ｆを美味しく食することができる。
【００３０】
更にまた、外装体１の貫通孔１２を側面に設け、この貫通孔１２が花形や星形、丸形、多角形、透かし彫り風の文様などの装飾形状にして視覚的付加価値を高めることもできるし、食品包装容器２の底部２３には突起２３ａを成形して、自立可能に構成することができ、食品Ｆの品質条件や容器の作製条件などによって底部２３の形状が丸形などに作製されていたとしても、食品包装容器２を取り外した際に安定的に置くことができる。
【００３１】
本発明は概ね上記のように構成されるが、本発明は図示の実施形態に限定されるものでは決してなく、「特許請求の範囲」の記載内において種々の変更が可能であって、例えば、外装食器の外装体１の形状は鉢形に限らず、底の浅いものや皿状のものであっても良い。また、食器包装容器２を取り外すことができれば、貫通孔１２を外装体１の側部に開設することもでき、何れのものも本発明の技術的範囲に属する。
【００３２】
【発明の効果】
以上、実施形態をもって説明したとおり、本発明における容器掛合機構にあっては、食品包装容器の本体部の外周面に突成された掛止ヅメが、外装体の内側面に形成された掛止リブの下側に掛合できすように構成したので、二重包装した食品の両容器を抜け止めることができ、確実に固定することができる。
【００３３】
従って、食品包装容器が没個性的なプラスチック容器であっても、本発明の外装体と組み合わせて使用することにより、外観の上で通常用いられる陶磁器やガラスなどの食器と変わらないので、高級感や情緒を醸し出すことができ、また、食品包装容器を直接取り付けることができるので、移し替える手間が省けると同時に、料理がくずれてしまう心配もない。
【００３４】
また、本発明の外装体が食品包装容器をカバーリングして二重構造にしたことによって、部材間に作出される空気層による保温効果が高いと共に、食品包装容器を直接手で触らないので、熱い物や冷たい物を支障なく持つことができる。更にまた、食後は食品包装容器を取り外して廃棄するだけでよいので、食器が汚れることが少なくなり、洗浄の手間を軽減することができることから、実用的価値は頗る高いものがある。
【図面の簡単な説明】
【図１】本発明の実施形態の外装体を表わす斜視図である。
【図２】本発明の実施形態の食品包装容器を表わす斜視図である。
【図３】本発明の実施形態の二重包装食品の取付構造を表わす分解斜視図である。
【図４】本発明の実施形態の二重包装食品の構造を表わす説明断面図である。
【図５】本発明の実施形態の二重包装食品の構造を表わす部分拡大断面図である。
【図６】本発明の実施形態の食品包装容器の変形例を表わす斜視図である。
【図７】本発明の実施形態の二重包装食品の使用状態を表わす斜視図である。
【符号の説明】
１　　外装体
１１　受口部
１１ａ　受口部縁
１２　貫通孔
１２ａ　堤部
１３　内側面
１４　掛止リブ
１５　閉じ蓋
２　　食品包装容器
２１　本体部
２１ａ　掛止ヅメ
２２　フランジ
２２ａ　突条
２３　底部
２３ａ　突起
Ｆ　　食品
【図１】
2004097631.tif 000003
【図２】
2004097631.tif 000004
【図３】
2004097631.tif 000005
【図４】
2004097631.tif 000006
【図５】
2004097631.tif 000007
【図６】
2004097631.tif 000008
【図７】
2004097631.tif 000009